(57)【特許請求の範囲】
【請求項１】
パチンコ玉が流下する玉誘導路に取り付け、複数列に重なって流下するパチンコ玉を崩して１列に整列させるパチンコ玉ならし機構において、パチンコ玉の流れと平行な両側壁の間に複数の仕切板を挿入して複数の玉誘導路を形成し、前記両側壁に下方を頂点とする略扇形形状の嵌挿孔を側壁を貫通しない深さに設けるとともに、前記複数の仕切板には下方を頂点とする略扇形形状の嵌挿孔を仕切り板を貫通させて設けたうえに、これらの嵌挿孔に嵌挿孔の下端部を支点として上端が回動自在な玉ならし板を嵌挿支持させたことを特徴とするパチンコ玉ならし機構。
【請求項２】
玉ならし板は支点側の肉厚を回動側の肉厚より薄くしたことを特徴とする請求項１に記載のパチンコ玉ならし機構。
【発明の詳細な説明】
【０００１】
【発明の属する技術分野】
本発明は、玉揚送装置等にパチンコ玉を整列させて送り込む玉誘導樋に取り付けて用いられるパチンコ玉ならし機構に関するものである。
【０００２】
【従来の技術】
複数台のパチンコ遊技機を設置した設置島には、パチンコ遊技機の他、各パチンコ遊技機から回収される玉を貯留する下部貯留タンクから設置島内の各パチンコ遊技機に分配するための上部貯留タンクに玉を揚送する玉揚送装置等の機器が設置されている。パチンコ遊技機には上部貯留タンクから、玉揚送装置には下部貯留タンクから、その他の機器では対応した経路からそれぞれ玉が供給されるが、供給時点で玉が１列になっていないと玉の供給を受ける機器に障害を生ずることがある。
【０００３】
特に、玉揚送装置においては、玉を１列に整列させておくことが求められる。このような玉揚送装置としては、本出願人が開発し、特許第３０２１４３６号として特許を取得したスプロケットの回転を利用するものがある。この玉揚送装置は多量の玉を短時間に上部貯留タンクへ揚送する必要から、複数枚（５枚乃至１０枚）のスプロケットを並列に備えており、玉揚送装置と連結させて取り付けた複数列の玉誘導樋から玉揚送装置に玉を送り込むようにしている。
【０００４】
スプロケット式の玉揚送装置の玉揚送機構部に供給される玉が１列に整列されていないと、玉揚送装置の揚送効率が低下するという問題があった。また、多量の玉を流した場合には玉誘導樋上で玉が上下に重なり合い、重なり合った玉が噛み込んでスプロケットを破損したり、スプロケットの入口で玉が団子状となって玉の流動を停止させてしまったりするという問題があった。
【０００５】
この問題を解決するために、玉誘導樋のための玉ならし機構が考えられた。この玉ならし機構としては、例えば図９に示すような、長い誘導樋を設け、玉が誘導樋を通る間に上下方向１列に整列させるもの、図１０に示すような、軸を中心として回動自在な振り子部材を設け、上下方向に重なって流下するパチンコ玉を振り子部材の回動作用によって上下方向１列に整列させるようにしたもの等がある。ところが、長い誘導樋を設けたものでは水平方向、垂直方向に大きなスペースを要し、また、振り子部材を設けたものでは、振り子部材の構造が複雑で、しかも振り子部材を取り付けるためのスペース、特に高さ方向の大きなスペースを必要とするという問題があった。
【０００６】
【発明が解決しようとする課題】
本発明は上記の問題点を解決し、簡単な構造で大きな設置スペースを必要とせず、玉誘導樋上での玉の重なりを確実に防止して玉の供給を受ける機器に障害を生ずることがなく、特に玉揚送装置に玉を供給する場合にも玉揚送装置のスプロケットの破損や玉の流動停止を招くことのない玉ならし機構を提供するためになされたものである。
【０００７】
【課題を解決するための手段】
上記の問題は、パチンコ玉が流下する玉誘導路に取り付け、複数列に重なって流下するパチンコ玉を崩して１列に整列させるパチンコ玉ならし機構において、パチンコ玉の流れと平行な両側壁の間に複数の仕切板を挿入して複数の玉誘導路を形成し、前記両側壁に下方を頂点とする略扇形形状の嵌挿孔を側壁を貫通しない深さに設けるとともに、前記複数の仕切板には下方を頂点とする略扇形形状の嵌挿孔を仕切り板を貫通させて設けたうえに、これらの嵌挿孔に嵌挿孔の下端部を支点として上端が回動自在な玉ならし板を嵌挿支持させたことを特徴とするパチンコ玉ならし機構によって解決できる。
【０００８】
また、玉ならし板は支点側の肉厚を回動側の肉厚より薄くすることが好ましい。
【０００９】
【発明の実施の形態】
次に、本発明のパチンコ玉ならし機構に係る実施形態について、図を参照しながら具体的に説明する。
図１乃至４は請求項１の発明の形態を示すものであって、水平に近い角度の傾斜した玉誘導路１に垂直な玉誘導路２を連結しており、玉誘導路１及び２にはそれぞれ仕切り板３、３を設けて各１個のパチンコ玉が通る複数列の並行した個別の玉誘導路１ａ、１ａ、２ａ、２ａを構成している。仕切り板３、３は玉誘導路１の上流側に向かって高さが低くしてあり、パチンコ玉を複数列の個別の玉誘導路１ａ、１ａに分けることができるようにしてある。
【００１０】
玉誘導路１と玉誘導路２の連結部の側壁４の内面には頂点を下方とする略扇形の嵌挿孔５が設けてあり、仕切り板３には嵌挿孔５と対向する同形の嵌挿孔６、６が設けてある。ここにおいて、これらの嵌挿孔５、６はいずれも側壁４、仕切り板３を貫通しない深さとしてある。対向する嵌挿孔５と６、あるいは、嵌挿孔６と６にはそれぞれ玉ならし板７、７の端部が嵌挿してあり、該玉ならし板７は嵌挿孔５または６の下端部を支点として上端が回動自在としてある。玉ならし板７は、支点側の厚みを薄く、上端側の厚みを厚くしてある。
【００１１】
図５及び６は請求項２の発明の実施の形態を示すものであって、玉誘導路１、玉誘導路２、仕切り板３、３、個別の玉誘導路１ａ、１ａ、２ａ、２ａは第１の実施の形態のものと同様に構成してある。前記第１の実施の形態のものと異なるのは、側壁４の内面に嵌挿孔５が設けてなく、複数の仕切り板３に設けた嵌挿孔６、６が仕切り板３、３を貫通していることである。さらに、玉ならし板７は連続した一体のものとし、仕切り板３、３の嵌挿孔６、６に嵌挿支持させてある。玉ならし板７が、嵌挿孔６の下端部を支点として上端を回動自在としてあること、支点側の厚みを薄く、上端側の厚みを厚くしてあることは第１の実施の形態のものと同様である。
【００１２】
このように構成したパチンコ玉ならし機構を玉揚送装置への玉供給経路に適用する場合には、図７に示すように揚送玉貯留タンク８に組み込まれ、玉揚送装置９が連結される。この例では玉揚送装置９が２基設けられており、玉ならし機構は第２の実施の形態のもの２組が背中合わせにして組み込んである。揚送玉貯留タンク８の底面は玉誘導路１を構成し、玉誘導路２は下方に突設してあり、玉誘導路２はそれぞれ玉揚送装置９、９に連結してある。１０、１０は玉揚送装置９、９のスプロケット、１１、１１は図示しない上部貯留タンクに接続される玉搬送用パイプである。
【００１３】
図８は揚送玉貯留タンク８の構成を示すもので、仕切り板３、遮蔽板１２を一体として嵌挿孔６に玉ならし板７を嵌挿した物を揚送玉貯留タンク８の本体に上から挿入して構成している。このように構成することにより、揚送玉貯留タンク８の底面が玉誘導路１の底面に、揚送玉貯留タンク８の側壁が側壁４になり、玉誘導路１が形成され、仕切り板３、３により仕切られて個別の玉誘導路１ａ、１ａとなる。玉誘導路２は仕切り板３、遮蔽板１２と一体とした中仕切り板１３と揚送玉貯留タンク８の底面に設けた導出部側壁１４とにより形成され、仕切り板３、３により仕切られて個別の玉誘導路２ａ、２ａとなる。
【００１４】
遮蔽板１２の端面は揚送玉貯留タンク８の側壁１５内面との間隙の中央部が大きくなる形状としてあり、遮蔽板１２上の玉がブリッジを生ずることなく玉誘導路１へ移行するようにしてある。１６は減圧板であり、図示しない下部貯留タンクから供給される玉により遮蔽板１２の端面と側壁１５内面との間隙に加わる圧力を減ずるために設けてある。また、揚送玉貯留タンク８と側壁１５との接合部分を急勾配部１７とすることにより玉誘導路１での玉の速度を上げるようにしてある。
【００１５】
下部貯留タンクから供給された玉は遮蔽板１２の端面と側壁１５内面との間隙から玉誘導路１に流れ、仕切り板３により仕切られた個別の玉誘導路１ａ、１ａに分かれて流れていく。これにより玉は横方向には１列となるが、上下方向には部分的に重なって個別の玉誘導路１ａ、１ａを流れることになる。玉が上下方向に重なった状態で個別の玉誘導路１ａと２ａとの連結部に到ると、上になった玉は玉ならし板７に当たって図４に示すように玉ならし板７を回動させ、玉ならし板７により進行を抑止される。この状態で下側の玉が玉誘導路２ａに抜ければ、玉ならし板７に抑止された玉は続いて玉誘導路２ａに抜け、玉ならし板７は元の状態に復帰する。このようにして玉が整列され、玉誘導路２では１列になって流れることとなる。玉ならし板７は支点側の厚みを薄く、上端側の厚みを厚くしてあるので、上端側が重くなっており、重なった玉を崩す効果が増す利点がある。
【００１６】
玉誘導路２で１列となって流れる玉は玉揚送装置９に流れ、スプロケット１０により玉搬送用パイプ１１を通して上部貯留タンクに送られる。以後、玉揚送装置９により揚送された量に相当する量の玉が玉誘導路２から玉揚送装置９に流れ、同じ量の玉が玉誘導路１から玉誘導路２に流れることとなるが、玉誘導路１を流れる間に仕切り板３、３により横方向に１列となり、玉誘導路１から玉誘導路２に流れる過程で玉ならし板７により上下方向にも１列になるので、玉揚送装置９には完全な１列の状態で流れ込むこととなる。
【００１７】
第１の実施の形態のものの場合には玉が上下に重なって流れてきた個別の玉誘導路１ａ、１ａに嵌挿された玉ならし板７が個別に回動され、玉が整列される。これに対し、第２の実施の形態のものの場合には、複数列ある個別の玉誘導路１ａと２ａとの連結部の何れかに、玉が上下方向に重なった状態で到ると、上になった玉がならし板７に当たり玉ならし板７を回動させて玉を整列させるが、玉が上下方向に重なっていない個別の玉誘導路１ａでも玉ならし板７が回動した状態となる。玉ならし板７が回動した状態であっても、１列で流れる玉は支障なく通過することができるので、玉ならし板７は一体の物とすることができる。この第２の実施の形態の構成では構造がさらに簡単になる利点がある。
【００１８】
なお、以上の説明は、本発明の玉ならし機構を玉揚送装置への玉供給経路に適用した場合についてのものであるが、パチンコ遊技機裏面に設けられた玉タンクと玉払出装置とを結ぶタンクレール等に適用することも可能であることは言うまでもない。
【００１９】
【発明の効果】
以上説明した本発明によれば、簡単な構造で大きなスペースを要することがなく、玉誘導樋上での玉の重なりを確実に防止するので、玉揚送装置を連結した場合にも玉揚送装置のスプロケットの破損や玉の流動停止を招くことがない。
【図面の簡単な説明】
【図１】本発明の第１の実施の形態を示す要部の斜視図である。
【図２】本発明の第１の実施の形態においてパチンコ玉がある状態を示す要部の斜視図である。
【図３】本発明の第１の実施の形態を示す要部の断面図である。
【図４】本発明の第１の実施の形態を示す要部の断面図である。
【図５】本発明の第２の実施の形態を示す要部の斜視図である。
【図６】本発明の第２の実施の形態においてパチンコ玉がある状態を示す要部の斜視図である。
【図７】揚送玉タンクに組み込んだ状態を示す断面図である。
【図８】揚送玉貯留タンクの構成を示す斜視図である。
【図９】従来のパチンコ玉ならし機構の１例を示す縦断面図である。
【図１０】従来のパチンコ玉ならし機構の別の例を示す縦断面図である。
【符号の説明】
１、２  玉誘導路
１ａ、２ａ  玉誘導路
３  仕切り板
４  側壁
５、６  嵌挿孔
７  玉ならし板
８  揚送玉貯留タンク
９  玉揚送装置
１０  スプロケット
１１  玉搬送用パイプ
１２  遮蔽板
１３  中仕切り板
１４  導出部側壁
１５  側壁
１６  減圧板
１７  急勾配部
【図１】
0004114850.tif 000002
【図２】
0004114850.tif 000003
【図３】
0004114850.tif 000004
【図４】
0004114850.tif 000005
【図５】
0004114850.tif 000006
【図６】
0004114850.tif 000007
【図７】
0004114850.tif 000008
【図８】
0004114850.tif 000009
【図９】
0004114850.tif 000010
【図１０】
0004114850.tif 000011